(57)【特許請求の範囲】
【請求項１】
色値を保持するＬＵＴを備えたグラフィック装置のビデオメモリの試験診断を行うとき、前記ビデオメモリの全領域に任意のデータを書き込み、前記ビデオメモリから順次にデータを読み出し、読み出したデータと書き込み前のデータとを比較して前記ビデオメモリの異常個所を検知し、前記ビデオメモリの異常個所に対応する前記ＬＵＴには前記色値とはまったく異なる色値を登録して表示することを特徴とするビデオメモリ試験診断方法。
【請求項２】
色値を保持するＬＵＴを備えたグラフィック装置のビデオメモリの試験診断を行うとき、前記ビデオメモリの全領域に任意のデータを書き込み、前記ビデオメモリから順次にデータを読み出し、読み出したデータと書き込み前のデータとを比較して前記ビデオメモリの異常個所を検知し、前記ビデオメモリの異常個所に対応する前記ＬＵＴには前記色値を反転した色値を登録して表示することを特徴とするビデオメモリ試験診断方法。
【請求項３】
色値を保持するＬＵＴを備えたグラフィック装置のビデオメモリの試験診断を行うとき、前記ビデオメモリの全領域に任意のデータを書き込み、前記ビデオメモリから順次にデータを読み出し、読み出したデータと書き込み前のデータとを比較して前記ビデオメモリの異常個所を検知し、前記ビデオメモリの異常個所に対応する前記ＬＵＴには前記色値とその反転した色値とを交互に登録を繰り返して表示することを特徴とするビデオメモリ試験診断方法。
【請求項４】
色値を保持するＬＵＴを備えたグラフィック装置のビデオメモリを診断するビデオメモリ試験診断装置において、前記ビデオメモリの全領域に任意のデータを書き込み，前記ビデオメモリから順次にデータを読み出し，読み出したデータと書き込み前のデータとを比較して前記ビデオメモリの異常個所を検知する手段と、前記ビデオメモリの異常個所に対応する前記ＬＵＴには前記色値とはまったく異なる色値を登録して表示する手段とを具備することを特徴とするビデオメモリ試験診断装置。
【請求項５】
色値を保持するＬＵＴを備えたグラフィック装置のビデオメモリを診断するビデオメモリ試験診断装置において、前記ビデオメモリの全領域に任意のデータを書き込み，前記ビデオメモリから順次にデータを読み出し，読み出したデータと書き込み前のデータとを比較して前記ビデオメモリの異常個所を検知する手段と、前記ビデオメモリの異常個所に対応する前記ＬＵＴには前記色値を反転した色値を登録して表示する手段とを具備することを特徴とするビデオメモリ試験診断装置。
【請求項６】
色値を保持するＬＵＴを備えたグラフィック装置のビデオメモリを診断するビデオメモリ試験診断装置において、前記ビデオメモリの全領域に任意のデータを書き込み，前記ビデオメモリから順次にデータを読み出し，読み出したデータと書き込み前のデータとを比較して前記ビデオメモリの異常個所を検知する手段と、前記ビデオメモリの異常個所に対応する前記ＬＵＴには前記色値とその反転した色値とを交互に登録を繰り返して表示する手段とを具備することを特徴とするビデオメモリ試験診断装置。
【発明の詳細な説明】
【０００１】
【発明の属する技術分野】
本発明はビデオメモリ試験診断方法およびその装置に関し、特にグラフィック装置などに実装されたビデオメモリの異常箇所を容易に視認することができるビデオメモリ試験診断方法およびその装置に関する。
【０００２】
【従来の技術】
ビデオメモリの試験診断はその異常箇所のアドレスを特定し、異常の原因を分析調査している。したがって、試験診断では、ビデオメモリの各アドレスに書き込む前のデータとそれを書き込んだ後に読み出したデータとを比較し、比較結果が不一致であればそのアドレスを異常箇所とする。
【０００３】
しかしながら、上記のような原始的な方法は、ビデオメモリの異常箇所を個々に発見することには有効な方法であるが、ビデオメモリ全体の異常状況（異常箇所の分布状態など）を試験診断するには適切ではない。
【０００４】
また、ビデオメモリに書き込んだデータを出力装置に表示しても、色値の差異が小さい場合には、それを異常であると視認することは困難である。
【０００５】
【発明が解決しようとする課題】
上記のように、従来のビデオメモリ試験診断方法は、ビデオメモリの異常箇所の分布状況を把握することが難しいという問題点がある。
【０００６】
本発明の目的は、上記のような欠点を改善し、ビデオメモリの正常箇所と異常箇所のＬＵＴ（ルックアップテーブル。以下、ＬＵＴという。）の色情報にまったく異なる値を設定して表示し、異常箇所の目視を容易にすることができるビデオメモリ試験診断方法およびその装置を提供することにある。
【０００７】
【課題を解決するための手段】
本発明のビデオメモリ試験診断方法は、色値を保持するＬＵＴを備えたグラフィック装置のビデオメモリの試験診断を行うとき、前記ビデオメモリの全領域に任意のデータを書き込み、前記ビデオメモリから順次にデータを読み出し、読み出したデータと書き込み前のデータとを比較して前記ビデオメモリの異常個所を検知し、前記ビデオメモリの異常個所に対応する前記ＬＵＴには前記色値とはまったく異なる色値を登録して表示することを特徴とする。
【０００８】
また、本発明のビデオメモリ試験診断方法は、色値を保持するＬＵＴを備えたグラフィック装置のビデオメモリの試験診断を行うとき、前記ビデオメモリの全領域に任意のデータを書き込み、前記ビデオメモリから順次にデータを読み出し、読み出したデータと書き込み前のデータとを比較して前記ビデオメモリの異常個所を検知し、前記ビデオメモリの異常個所に対応する前記ＬＵＴには前記色値を反転した色値を登録して表示することを特徴とする。
【０００９】
さらに、本発明のビデオメモリ試験診断方法は、色値を保持するＬＵＴを備えたグラフィック装置のビデオメモリの試験診断を行うとき、前記ビデオメモリの全領域に任意のデータを書き込み、前記ビデオメモリから順次にデータを読み出し、読み出したデータと書き込み前のデータとを比較して前記ビデオメモリの異常個所を検知し、前記ビデオメモリの異常個所に対応する前記ＬＵＴには前記色値とその反転した色値とを交互に登録を繰り返して表示することを特徴とする。
【００１０】
また、本発明のビデオメモリ試験診断装置は、色値を保持するＬＵＴを備えたグラフィック装置のビデオメモリを診断するビデオメモリ試験診断装置において、前記ビデオメモリの全領域に任意のデータを書き込み，前記ビデオメモリから順次にデータを読み出し，読み出したデータと書き込み前のデータとを比較して前記ビデオメモリの異常個所を検知する手段と、前記ビデオメモリの異常個所に対応する前記ＬＵＴには前記色値とはまったく異なる色値を登録して表示する手段とを具備することを特徴とする。
【００１１】
また、本発明のビデオメモリ試験診断装置は、色値を保持するＬＵＴを備えたグラフィック装置のビデオメモリを診断するビデオメモリ試験診断装置において、前記ビデオメモリの全領域に任意のデータを書き込み，前記ビデオメモリから順次にデータを読み出し，読み出したデータと書き込み前のデータとを比較して前記ビデオメモリの異常個所を検知する手段と、前記ビデオメモリの異常個所に対応する前記ＬＵＴには前記色値を反転した色値を登録して表示する手段とを具備することを特徴とする。
【００１２】
さらに、本発明のビデオメモリ試験診断装置は、色値を保持するＬＵＴを備えたグラフィック装置のビデオメモリを診断するビデオメモリ試験診断装置において、前記ビデオメモリの全領域に任意のデータを書き込み，前記ビデオメモリから順次にデータを読み出し，読み出したデータと書き込み前のデータとを比較して前記ビデオメモリの異常個所を検知する手段と、前記ビデオメモリの異常個所に対応する前記ＬＵＴには前記色値とその反転した色値とを交互に登録を繰り返して表示する手段とを具備することを特徴とする。
【００１３】
【発明の実施の形態】
以下、本発明について図面を参照しながら説明する。
【００１４】
図１は本発明の実施の一形態を示す説明図である。同図において、グラフィック装置１は試験診断の対象となるビデオメモリ１１と表示する色値を保持するＬＵＴ１２とを備え、ディスプレイなどの出力装置３に接続されている。そして、ビデオメモリ試験診断装置２は、ビデオメモリ比較手段２１と第一のＬＵＴ変更手段２２と第二のＬＵＴ変更手段２３とを具備し、上記のグラフィック装置１に接続されてそのビデオメモリ１１の試験診断を行う。
【００１５】
ビデオメモリ比較手段２１は、ビデオメモリ領域の先頭から順に任意の値を書き込み後、それを読み出した値と書き込んだ値とを比較し、ビデオメモリが正常か否かを試験診断する。
【００１６】
第一のＬＵＴ変更手段２２は、ビデオメモリ１１が試験診断において異常と判定された場合、異常箇所から読み込んだビデオメモリ値に対応するＬＵＴの色値を、正常なビデオメモリ値に対応したＬＵＴ１２の色値を反転させた色値に変更する。
【００１７】
第二のＬＵＴ変更手段２３は、第一のＬＵＴ変更手段２２で変更したＬＵＴ１２の色値を、正常なビデオメモリ値に対応したＬＵＴの色値に変更する。
【００１８】
第一のＬＵＴ変更手段２２と、第二のＬＵＴ変更手段２３とを繰り返し実施する。このようにすることによって、ビデオメモリの異常箇所は表示装置上では正常な色値が点滅して表示される。
【００１９】
次に、上記のビデオメモリ試験診断装置の動作を説明する。
【００２０】
まず、グラフィック装置１に実装されているビデオメモリ領域を先頭から順に試験診断を実施する。ビデオメモリ比較手段２１はビデオメモリに任意の値を書き込み後、読み出した値と書き込んだ任意の値を比較する。このとき、あらかじめＬＵＴ１２に正常なビデオメモリ値に対応した任意の色値を登録しておくことで、試験診断で正常と判別されたビデオメモリ１１に対応する領域は、あらかじめ登録しておいた任意の色値が出力装置３に表示される。
【００２１】
試験診断において、ビデオメモリ１１が異常と判定された場合、第一のＬＵＴ変更手段２２により、異常箇所から読み出したビデオメモリ値に対応するＬＵＴ１２の色値を、正常なビデオメモリ値に対応したＬＵＴの色値を反転させた色値に変更する。このとき、試験診断で異常と判別されたビデオメモリ１１に対応する領域は、正常なビデオメモリ値に対応したＬＵＴ１２の色値を反転させた色値が出力装置３に表示される。
【００２２】
その後、第二のＬＵＴ変更手段２３により、第一のＬＵＴ変更手段２２で変更したＬＵＴ１２の色値を、正常なビデオメモリ値に対応したＬＵＴの色値に変更する。このとき、試験診断で異常と判別されたビデオメモリ１１に対応する領域は、正常なビデオメモリ値に対応したＬＵＴ１２の色値が出力装置３に表示される。
【００２３】
上記の第一のＬＵＴ変更手段２２と第二のＬＵＴ変更手段２３とを繰り返し実施することにより、試験診断で異常と判別されたビデオメモリ１１に対応する領域は、ＬＵＴ１２の色値が繰り返し変更されるので、出力装置３に点滅して表示される。
【００２４】
たとえば、ＬＵＴエントリ０：黒，ＬＵＴエントリ０ｘｆｆ：白としてビデオメモリを診断する手順は、次の通りである。
【００２５】
（１）全ビデオメモリ（たとえば、メモリサイズ：１Ｍ）に初期値０を書き込む。
【００２６】
（２）試験データ０ｘｆｆを全ビデオメモリに書き込む。
【００２７】
（３）ビデオメモリの先頭から順にデータをチェックする。ここで期待値は０ｘｆｆである。
【００２８】
（４）チェックによって異常箇所が検出され、このときのビデオメモリのデータが０ｘｆｅであるとすると、ＬＵＴの０ｘｆｅの登録値が表示される。
【００２９】
（５）ＬＵＴの登録値を交互に変化させることにより、出力装置でビデオメモリの異常箇所を視認する。具体的にはＬＵＴの０ｘｆｅの登録値を赤に設定することにより、出力装置では赤と白とが点滅して見える。異常箇所が複数存在する場合でも、それぞれのＬＵＴの登録値を変更することによって、各異常箇所を特定できる。
【００３０】
【発明の効果】
以上、詳細に説明したように、本発明によれば、ビデオメモリの異常箇所を出力装置に視認しやすく表示することができる。したがって、実装されるすべてのビデオメモリ領域の試験診断後に、表示装置よりビデオメモリの異常箇所の分布を調査することが容易となり、ビデオメモリの異常原因の分析効率を向上することができる。
【図面の簡単な説明】
【図１】本発明の実施の一形態を示す説明図。
【符号の説明】
１    グラフィック装置
２    データ処理装置
３    出力装置
１１    ビデオメモリ
１２    ＬＵＴ
２１    ビデオメモリ比較手段
２２    第一のＬＵＴ変更手段
２３    第二のＬＵＴ変更手段
【図１】
0003597111.tif 000002